(57)【要約】【課題】低コストかつ定期点検の不要なシロアリ駆除用餌木ブロックを提供する。【解決手段】シロアリ駆除用餌木ブロック１０は、六面からなる立方体をなす餌木本体１と、蓋部材２と、遅効性かつ非忌避性の殺蟻成分を有するロール状のシートからなるベイト剤３と、を備える。餌木本体１には、六面のうちの一面の中央Ｃにおいて開口した空洞部４が設けられる。餌木本体１の空洞部４にはベイト剤３が載置される。蓋部材２は、ベイト剤３が載置された空洞部４に蓋をするように設けられている。【選択図】図２
0003143826.tif 000002
【実用新案登録請求の範囲】
【請求項１】
六面からなる立方体をなす餌木本体と、
蓋部材と、
遅効性かつ非忌避性の殺蟻成分を有するロール状のシートからなるベイト剤と、を備え、かつ、
前記餌木本体には、前記六面のうちの一面の中央において開口した空洞部が設けられ、
前記餌木本体の前記空洞部には前記ベイト剤が載置され、
前記蓋部材は、前記ベイト剤が載置された前記空洞部に蓋をするように設けられていることを特徴とするシロアリ駆除用餌木ブロック。
【請求項２】
底面に錐体が設けられた柱状体をなす餌木本体と、
蓋部材と、
遅効性かつ非忌避性の殺蟻成分を有するロール状のシートからなるベイト剤と、を備え、かつ、
前記餌木本体には、上面の中央において開口した空洞部が設けられ、
前記餌木本体の前記空洞部には前記ベイト剤が載置され、
前記蓋部材は、前記ベイト剤が載置された前記空洞部に蓋をするように設けられていることを特徴とするシロアリ駆除用餌木ブロック。
【考案の詳細な説明】
【技術分野】
【０００１】
本考案は、シロアリを誘引して駆除するシロアリ駆除用餌木ブロックに関するものである。
【背景技術】
【０００２】
従来から一般に用いられているシロアリ駆除方法には、薬剤散布方法と、薬剤を散布しない防除方法とが知られている。
【０００３】
この薬剤散布方法は、家屋等の構造物をシロアリの被害から保護するために、シロアリが存在する可能性のある領域、あるいは、シロアリによる被害を予防することが必要な領域に殺虫剤を散布する方法である。しかし、構造物の特定の領域におけるシロアリの被害をくい止めるために、シロアリの存在する可能性のある領域に殺虫剤を散布する方法では、殺虫剤に直接触れるシロアリを駆除できるのみであり、群れを構成する膨大な数のシロアリを駆除することができない。また、殺虫剤の散布によりシロアリの被害を予防する方法では、散布された殺虫剤の生物学的活性が経時的に失われることに伴い、シロアリの侵入を阻止する効力も経時的に失われるという問題点がある。さらに、環境への影響等を考慮すると大量の殺虫剤を散布することは好ましくない。
【０００４】
一方、薬剤を散布しない防除方法は、例えば特許文献１や特許文献２に開示されているように、容器内部にシロアリを集めて、その容器に殺蟻性を有するエサ（毒性餌）や脱皮成長抑制剤（ベイト剤）を配置し、該毒性餌を前記容器内部に集まったシロアリの巣に持ち帰らせることにより、少量の毒性餌を用いてシロアリを駆除する方法であり、一般にベイト工法と呼ばれている。この工法は、薬剤を大量に散布することなく、臭いもなく、また人間にもペットにも安全でシロアリの巣（コロニー）ごと根絶できるので、環境調和型の防除方法である。
【０００５】
このベイト工法を、図５を用いてさらに詳述する。まず、中空筒状のシロアリ捕獲器（ステーション）５０を用意する。このステーション５０は、特許文献３に開示されているように、中空筒本体５１の上部には蓋５２とこの蓋５２の外周から延びたフランジ５３とが設けられるとともに、中空筒本体５１の側壁５４にはシロアリが通過可能な大きさの開口部５５が複数形成されている。そして、このステーション５０を、家屋（建物）を囲む形で埋め込み、蓋５２を開けてステーション５０内部にステーション内径よりも小さい外径を有した餌木５６を挿入して、蓋５２を再度閉めることで設置が完了する。設置後に定期的に点検をしてシロアリの有無を確認する。シロアリが確認された場合、ベイト剤(薬剤入りの餌)を別途投与する。投与後、シロアリはシロアリの習性からベイト剤を巣まで運んでいき、巣(コロニー)が根絶される。
【０００６】
しかしながら、この従来のベイト工法では、通常、シロアリ専門業者によりステーション５０の用意、設置、定期点検及びベイト剤の投入（シロアリの駆除）が行われるため、シロアリ駆除を依頼する依頼者にとっては、比較的高額であるとともに、定期点検時にはシロアリ専門業者を家屋敷地内に受け入れる等の時間的拘束を受けるといった問題があった。
【特許文献１】特表２０００−５０３８４４号公報
【特許文献２】特表２００７−５２３１７２号公報
【特許文献３】特開２００２−３１５４９３号公報
【考案の開示】
【考案が解決しようとする課題】
【０００７】
従って、本考案は、以上の問題点を克服するシロアリ駆除用餌木ブロックを提供することを目的とする。換言すれば、低コストかつシロアリ専門業者による定期点検の不要なシロアリ駆除用餌木ブロックを提供することを目的とする。
【課題を解決するための手段】
【０００８】
本考案者は鋭意検討した結果、餌木にベイト剤を一体的に組み込んだ構成にすることによって上記問題が解決されることを見出し、本考案を完成したものである。
すなわち、本考案では次の構成を採用する。
【０００９】
１．六面からなる立方体をなす餌木本体と、
蓋部材と、
遅効性かつ非忌避性の殺蟻成分を有するロール状のシートからなるベイト剤と、を備え、かつ、
前記餌木本体には、前記六面のうちの一面の中央において開口した空洞部が設けられ、
前記餌木本体の前記空洞部には前記ベイト剤が載置され、
前記蓋部材は、前記ベイト剤が載置された前記空洞部に蓋をするように設けられていることを特徴とするシロアリ駆除用餌木ブロック。
２．底面に錐体が設けられた柱状体をなす餌木本体と、
蓋部材と、
遅効性かつ非忌避性の殺蟻成分を有するロール状のシートからなるベイト剤と、を備え、かつ、
前記餌木本体には、上面の中央において開口した空洞部が設けられ、
前記餌木本体の前記空洞部には前記ベイト剤が載置され、
前記蓋部材は、前記ベイト剤が載置された前記空洞部に蓋をするように設けられていることを特徴とするシロアリ駆除用餌木ブロック。
【考案の効果】
【００１０】
本考案によれば、従来、シロアリ専門業者によりシロアリ用ステーションに別々の時期に投入されていた餌木とベイト剤とを簡素な一体的構造にすることにより、低コストかつシロアリ専門業者による定期点検の不要なシロアリ駆除用餌木ブロックを提供することができる。
【考案を実施するための最良の形態】
【００１１】
以下、本考案を図面に示す実施例に基づき説明するが、以下の具体例は本考案を限定するものではない。
【００１２】
図１は本考案の実施例１のシロアリ駆除用餌木ブロックの斜視図、図２は図１のＡ−Ａ’に沿って破断した断面図、図３は本考案の実施例２のシロアリ駆除用餌木ブロックの斜視図、図４は図３のＡ−Ａ’に沿って破断した断面図、図５は従来のベイト工法で使用されるステーション及び餌木を示した図である。なお、各図において同一又は対応する部材には同一符号を用いる。
【実施例１】
【００１３】
図１に示すように、本考案のシロアリ駆除用餌木ブロック（以下単に、餌木ブロックと言う）１０は、六面からなる立方体をなす餌木本体１と、蓋部材２と、を備える。本実施例の餌木本体１の材料は木材であるが、シロアリの食する材料であればこれに限定されない。また、本実施例の蓋部材２の材料も同様に木材であるが、餌木本体１の後述する空洞部に蓋をする機能を有すれば必ずしも木材に限定されない。
【００１４】
図２は、図1の餌木ブロック１０を同図のＡ−Ａ’に沿って破断した断面図であり、餌木ブロック１０の餌木本体１は、立方体六面のうちの一面Ｃの中央において開口した空洞部４が設けられている。この空洞部４は円筒形をなす中空孔であり、上述の通り面Ｃの中央に開口部４ａを有するが、面Ｃと対向する面Ｄまで貫通しておらず餌木本体１内部に底部４ｂを有する。この空洞部４の底部４ｂに、殺蟻成分を含有したシートをロール状に巻いたベイト剤３が載置され、この空洞部４の開口部４ａに上述の蓋部材２が、その一面が餌木本体の面Ｃと面一となるまで押し込まれる。これにより、ベイト剤３は蓋部材２により餌木本体１に内封され、蓋部材２が餌木本体１に堅持される。また、必要に応じて、木工用ボンド等の接着剤を用いて蓋部材２を餌木本体１に接着させてもよい。
【００１５】
次に、ベイト剤３について詳述する。ベイト剤３は紙（シート）状のセルロースに殺蟻成分を含浸させたものである。殺蟻成分は、遅効性で非忌避性（忌避性の無い）であるものが好ましい。ここで、遅効性とは、薬剤の効果が遅く（一定の時間が経過してから）発揮する性質を意味し、非忌避性とは、シロアリの習性には近くで仲間が死んだりするとその原因となる危険を回避する警戒能力（忌避性）があり、このシロアリの忌避性を薬剤が生じさせないことを意味する。
【００１６】
ベイト剤３の殺蟻成分の具体例として、昆虫成長抑制剤を使用することが好ましい。昆虫成長抑制剤すなわちＩＧＲ剤（Insect growth regulators）は、脱皮阻害剤とも呼ばれ、昆虫が発育していく過程における昆虫特有の生理（脱皮、蛹化、羽化、産卵等）を阻害する事により殺虫効果を発現する薬剤の総称である。このＩＧＲ剤のうち、キチン生合成を阻害する薬剤（例えば、ベンゾイルウレア系化合物）が好ましい。
【００１７】
この脱皮阻害剤を含有したベイト剤３の効果を説明する。シロアリには体の表面を清潔に保つ習性があり、仲間同士でお互いを舐め合い身繕いを行う行動（グルーミング行動）がある。本考案のベイト剤３は、脱皮の時期がきて脱皮抑制効果（遅効性）を発揮するため、餌場にきたシロアリに忌避行動をとらせることはない。従って、シロアリのグルーミング行動により薬剤の脱皮抑制効果が巣の中の他のシロアリにも伝播され、巣を完全に根絶することができる。
【００１８】
次に実施例１の餌木ブロック１０の製造方法を例示して説明する。
【００１９】
まず、市販の木材から縦、横及び高さが夫々６０ｍｍの立方体形状に切り出し（カットし）、その後乾燥させて、餌木本体１を形成する。必要に応じて、餌木本体（立方体）１の各縁部を面取りして木材のバリを取っておいてもよい。次に、餌木本体１の任意の面を面Ｃとして、面Ｃに垂直にドリル加工を施して、餌木本体１内部に直径２３ｍｍ及び長さ４５ｍｍの空洞部４を形成する。空洞部４の長さを４５ｍｍとすることにより、空洞部４には底部４ｂが設けられる。
【００２０】
そして市販のシート状のベイト剤３を用意し、空洞部４の寸法に適合するように巻き直して空洞部４の底部４ｂに載置する。その後、直径２３ｍｍ及び長さ８ｍｍの蓋部材２でもって、外部に露出したベイト剤３のロール端面を覆い被し（必要に応じて、接着剤をベイト剤３及び蓋部材２に塗布した後に覆い被し）、蓋部材２の外面が餌木本体１の面Ｃと面一となるまで蓋部材２を餌木本体１に押し込んで、本考案の餌木ブロック１０が完成する。なお、以上の製造方法の具体例は例示であって本考案を限定するものでない。
【００２１】
次に、実施例１の餌木ブロック１０の使用方法を説明する。使用方法は至って簡単である。以上により構成・製造された本考案の餌木ブロック１０を地中に埋没するように設置すればよく、後はこれを放置しシロアリが餌木本体１の木材に誘引されていくのを待てばよい。なお、本考案の餌木ブロック１０の地面への設置方法は、上記の埋没設置に限定されず、餌木ブロック１０の半部（下部）のみが地中に埋没しかつ残りの半部（上部）が地上に現われるように設置してもよいし、餌木ブロック１０の全てが地上に現われるように地表面上に設置してもよい。
【００２２】
以上により構成、製造及び設置された本考案の餌木ブロック１０の作用効果を説明する。家屋近くに巣（コロニー）を作る大量のシロアリのうち一部のシロアリ（職蟻）が、餌木本体１の木材に誘引され、その木材を削り取る。その後、シロアリは餌木本体１内部まで木材を摂取し続け、脱皮阻害剤が含有されたベイト剤３までも摂取する。しかしながら、ベイト剤３の脱皮阻害剤は遅効性であるため、脱皮阻害剤を摂取したシロアリは生存しながら巣まで帰還する。その後、シロアリは上記グルーミング行動を取り、脱皮の時期がきて脱皮抑制効果（遅効性）を発揮する。従って、巣の中の他のシロアリにも伝播され、巣を完全に根絶することができる。
【実施例２】
【００２３】
次に、本考案の実施例２を説明する。なお、以下では、実施例１と実施例２とに共通する事項については説明を省略し、両実施例の相違点である餌木ブロック１０の構造についてのみ説明する。なお、両実施例の同等の要素には同様の符号を付す。
【００２４】
本考案の実施例２の餌木ブロック１０の餌木本体１は、実施例１に示した立方体ではなく、図３の斜視図及び図４の断面図に示すように底面Ｄに錐体５が設けられた柱状体（本実施例では角柱）をなすように形成されている。図示の角柱及び錐体５は四角柱及び四角錐であるが、必ずしもこれに限定されず、例えば角柱及び錐体５を円柱及び円錐にしてもよい。また、餌木本体１の角柱と錐体５とは一つの角柱から機械的に削り出してもよいし、夫々別々の角柱と錐体とを接着剤等により接合させたものであってもよい。
【００２５】
また、実施例２の餌木本体１の寸法を例示すると、餌木本体１は、縦及び横が夫々３０ｍｍ、上面Ｃから底面Ｄまでの長さが１０５ｍｍの角柱に、この角柱の底面Ｄから高さ１５ｍｍの四角錐が設けられた構成をなす。蓋部材２、ベイト剤３及び中空部４の構成は、基本的に実施例１の構成と同様であり、各要素の寸法は上記餌木本体１の寸法に適宜適合させればよい。
【００２６】
以上詳述したとおり、本考案によれば、従来、シロアリ専門業者によりシロアリ用ステーションに別々の時期に投入されていた餌木とベイト剤とを簡素な一体的構造にすることにより、低コストかつシロアリ専門業者による定期点検の不要なシロアリ駆除用餌木ブロック１０を提供することができる。本考案のシロアリ駆除用餌木ブロック１０を使用することにより、環境に多大な影響を及ぼすこと無く、シロアリを巣毎駆除することが可能となる。
【００２７】
本考案は上記実施例に限定されることなく、実用新案登録請求の記載した考案の範囲内で種々の変更が可能であり、それらも本考案の範囲に含まれることはいうまでもない。
【図面の簡単な説明】
【００２８】
【図１】本考案の実施例１のシロアリ駆除用餌木ブロックの斜視図である。
【図２】図１のＡ−Ａ’に沿って破断した断面図である。（実施例１）
【図３】本考案の実施例２のシロアリ駆除用餌木ブロックの斜視図である。
【図４】図３のＡ−Ａ’に沿って破断した断面図である。（実施例２）
【図５】従来のベイト工法で使用されるステーション及び餌木を示した図である。
【符号の説明】
【００２９】
１    餌木本体
２    蓋部材
３    ベイト剤
４    空洞部
４ａ  空洞部の開口部
４ｂ  空洞部の底部
５    錐体（四角錐）
１０  シロアリ駆除用餌木ブロック
Ｃ    餌木本体の上面
Ｄ    餌木本体の底面
【図１】
0003143826.tif 000003
【図２】
0003143826.tif 000004
【図３】
0003143826.tif 000005
【図４】
0003143826.tif 000006
【図５】
0003143826.tif 000007